(57)【特許請求の範囲】
【請求項１】
複数の単芯を撚って構成された撚り形ケーブルを単芯に分割する撚り形ケーブルの分割装置において、
撚り形ケーブルの単芯同士の連結部を分割する分割部と、
前記分割部に撚り形ケーブルを押し付けるケーブル押圧部と、
前記押圧部と分割部の間に設置され、前記分割部への押し付け時に撚り形ケーブルの撓みを抑えた状態で摺動案内するケーブルガイドを備えたことを特徴とする撚り形ケーブルの分割装置。
【請求項２】
請求項１に記載の撚り形ケーブルの分割装置において、
前記ケーブルガイドは所定長さに切断された撚り形ケーブルを挟持し、前記ケーブル押圧部は挟持された撚り形ケーブルの一端を押圧し、前記分割部は分割刃を有し押し付けられることにより挟持された撚り形ケーブルの他端を分割刃により単芯に分割することを特徴とする撚り形ケーブルの分割装置。
【請求項３】
請求項１または２に記載の撚り形ケーブルの分割装置において、
前記ケーブル押圧部は撚り形ケーブルを押圧する先端に回転可能に押付部材が取付けられ、前記分割刃は撚り形ケーブルを構成する単芯の数に対応する複数の刃が固定的に取付けられていることを特徴とする撚り形ケーブルの分割装置。
【請求項４】
請求項３に記載の撚り形ケーブルの分割装置において、
前記分割刃はケーブルの分割動作に伴い撚り形ケーブルを回転させ、前記ケーブル押圧部の押付部材が撚り形ケーブルと共に回転することを特徴とする撚り形ケーブルの分割装置。
【請求項５】
請求項１〜４のいずれかに記載の撚り形ケーブルの分割装置において、
前記ケーブルガイドは内面に摩擦抵抗の少ない摺動部材が設けられたことを特徴とする撚り形ケーブルの分割装置。
【請求項６】
請求項３〜５のいずれかに記載の撚り形ケーブルの分割装置において、
前記ケーブル押圧部は押付部材の撚り形ケーブルとの接触面に弾性部材が貼り付けられていることを特徴とする撚り形ケーブルの分割装置。
【請求項７】
請求項１〜６のいずれかに記載の撚り形ケーブルの分割装置において、
ケーブルガイドは内面に内径調整部材が配置されていることを特徴とする撚り形ケーブルの分割装置。
【発明の詳細な説明】
【技術分野】
【０００１】
本発明は、単芯ケーブルを複数撚って構成される撚り形の電力ケーブルを、単芯ケーブルに分割する撚り形ケーブルの分割装置に関する。
【背景技術】
【０００２】
発電プラント等に敷設されている撚り形の電力ケーブルは、劣化した場合交換が必要となるが、ケーブルは被覆材で覆われており、被覆材が放射線汚染されている懸念があることから、撤去するケーブルの被覆材を処理しなければならない。そのためには、多芯の撚り形ケーブルを単芯ケーブルに分割する必要がある。
【０００３】
電力ケーブルは、複数（例えば三本）の単芯ケーブルを撚って高い剛性に構成した多芯撚り形ケーブルが用いられる。そして、単芯ケーブルの被覆材の外側に延焼防止剤（アスベストを含む）が塗布され、単芯同士を接着している。したがって、単芯ケーブル同士の結合が強固となってケーブルの剛性が一層高まっており、人力で分割するには膨大な時間と労力を有する。
【０００４】
従来、ケーブルの分離装置として、特許文献１（特開平９−１８２２３２号）に示されるものがある。特許文献１では、ガイド孔にケーブルを押し込むことにより単芯ケーブルに分離するように構成している。
【先行技術文献】
【特許文献】
【０００５】
【特許文献１】特開平０９−１８２２３２号公報
【発明の概要】
【発明が解決しようとする課題】
【０００６】
しかしながら、上記特許文献１に示される分離装置は構成が複雑であり、電力用の撚り形ケーブルの分離に用いると、単線の分離に伴って剥がれ落ちる延焼防止剤が円筒状の本体に詰ってケーブルが移動できなくなったり、保持部材に対して本体が回転できなくなる恐れがある。また、ガイド孔にケーブルを押し込む際に、ケーブルが屈曲してしまい、ケーブルの移動ができなくなる恐れがある。いずれにしても、剛性の高い電力ケーブルの分離を円滑に行えない恐れがある。
【０００７】
本発明は、上記問題点に鑑みてなされたもので、簡単な構成で剛性の高い電力用の撚り形ケーブルの分離を容易に行える、撚り形ケーブルの分割装置を提供するものである。
【課題を解決するための手段】
【０００８】
本発明は上記課題を解決するため、複数の単芯を撚って構成された撚り形ケーブルを単芯に分割する撚り形ケーブルの分割装置において、
撚り形ケーブルの単芯同士の連結部を分割する分割部と、
前記分割部に撚り形ケーブルを押し付けるケーブル押圧部と、
前記押圧部と分割部の間に設置され、前記分割部への押し付け時に撚り形ケーブルの撓みを抑えた状態で摺動案内するケーブルガイドを備えたことを特徴とする。
【０００９】
また、上記に記載の撚り形ケーブルの分割装置において、前記ケーブルガイドは所定長さに切断された撚り形ケーブルを挟持し、前記ケーブル押圧部は挟持された撚り形ケーブルの一端を押圧し、前記分割部は分割刃を有し押し付けられることにより挟持された撚り形ケーブルの他端を分割刃により単芯に分割することを特徴とする。
【００１０】
また、上記に記載の撚り形ケーブルの分割装置において、前記ケーブル押圧部は撚り形ケーブルを押圧する先端に回転可能に押付部材が取付けられ、前記分割刃は撚り形ケーブルを構成する単芯の数に対応する複数の刃が固定的に取付けられていることを特徴とする。
【００１１】
また、上記に記載の撚り形ケーブルの分割装置において、前記分割刃はケーブルの分割動作に伴い撚り形ケーブルを回転させ、前記ケーブル押圧部の押付部材が撚り形ケーブルと共に回転することを特徴とする。
【００１２】
また、上記に記載の撚り形ケーブルの分割装置において、前記ケーブルガイドは内面に摩擦抵抗の少ない摺動部材が設けられたことを特徴とする。
【００１３】
また、上記に記載の撚り形ケーブルの分割装置において、前記ケーブル押圧部は押付部材の撚り形ケーブルとの接触面に弾性部材が貼り付けられていることを特徴とする。
【００１４】
また、上記に記載の撚り形ケーブルの分割装置において、ケーブルガイドは内面に内径調整部材が配置されていることを特徴とする。
【発明の効果】
【００１５】
本発明によれば、撚り形電力ケーブルの容易かつ短時間分割により、発電プラントのケーブル廃棄作業の短縮化、危険作業の低減を図ることができる。
【図面の簡単な説明】
【００１６】
【図１】本発明実施例の撚り形ケーブルの分割装置の全体構成図である。
【図２】同じく分割部の部分構成図である。
【図３】同じく分割刃の構成図である。
【図４】撚り形ケーブルの断面図である。
【図５】本発明実施例のケーブルガイドの断面図である。
【図６】同じくケーブル押圧部の部分構成図である。
【図７】同じく分割動作の説明図である。
【発明を実施するための形態】
【００１７】
以下、図面を用いて本発明の実施例を詳細に説明する。図１は、本発明実施例の撚り形ケーブルの分割装置の全体構成図である。
【００１８】
図１において、１は撚り形ケーブル（後述）の単芯同士の連結部を分割する分割部、３は前記分割部１に撚り形ケーブルを押し付けるケーブル押圧部、２は前記押圧部３と分割部１の間に設置され、前記分割部１への押し付け時に撚り形ケーブルを撓みを抑えた状態で摺動案内するケーブルガイドである。４は上記各部を搭載する架台で、移動車輪４ａと固定脚４ｂを備え、ケーブルの廃棄現場に容易に移動可能に構成されている。
【００１９】
分割部１は分割刃１ａとこの刃を支える固定部１ｂからなっている。分割刃１ａは、図２に示すように、ボルト１ｃ、１ｄによってそれぞれ、左右Ａ方向、上下Ｂ方向に位置調整がなされた状態で、固定部１ｂに取付けられている。図３に示すように、分割刃１ａは複数の刃１ａ１、１ａ２、１ａ３から成っており、この場合、３本の単芯を撚って構成された撚り形ケーブルの分割用に、１２０°ずつ均等に離して固定された３枚の刃からなる。各刃の交差する中央位置にはケーブルとの位置合わせ用の突起１ｅが設けられている。さらに、各刃の刃先には、撚り形ケーブルの単芯を分割する際に、硬い延焼防止剤（連結部）を切裂くのに適した丸み１ｆをもたせ、同時に刃先のこぼれを防止している。
【００２０】
本実施例で用いる撚り形ケーブル５は、図４に示すように、３本の単芯５ａ、５ｂ、５ｃを撚り合わせて構成され、単芯の間は連結部としてアスベストを含む延焼防止剤５ｄで強固に接着されている。なお、５ｅはケーブル５の中央位置を示す。
【００２１】
ケーブルガイド２は、図１に示すように、底部２ａと蓋２ｂからなる２つ割構造のパイプ形状を有し、両者は蝶番２ｃで開閉可能に接続されている。ケーブルガイド２の内径寸法は、撚り形ケーブルの外径寸法より若干大きめに設定され、撚り形ケーブルを底部２ａと蓋２ｂで挟んだとき、ケーブルの撓みを強制的に抑える。ケーブルガイド２は、図５の（ａ）に示すように、底部２ａと蓋２ｂの内面に摩擦抵抗の少ないテフロン（登録商標）シート（摺動部材）２ｄ、２ｅがそれぞれ貼り付けられている。
【００２２】
また、ケーブルガイド２は、内部に挟む撚り形ケーブル５の外径寸法の違いに対応できるように構成されている。図５の（ｂ）に示すように、底部２ａと蓋２ｂの内面に内径調整部材２ｆ、２ｇが貼り付けられ、さらにその内面にテフロン（登録商標）シート（摺動部材）２ｄ、２ｅがそれぞれ貼り付けられている。このように、内径調整部材２ｆ、２ｇを介在させることにより、ケーブルガイド２の内径を縮小することができ、外径寸法の小さなケーブル５に対応することができ、各厚さの内径調整部材を準備することにより、多種類のケーブル５に対応することができる。
【００２３】
ケーブル押圧部３は、図１に示すように油圧ポンプ３ａと、このポンプにより駆動される油圧シリンダ３ｂと、油圧シリンダ３ｂ内を移動するピストン軸３ｃと、ピストン軸３ｃの先端に回転可能に取付けられた押付部材３ｄと、押付部材３ｄの先端であるケーブル５との接触面に弾性部材３ｅが取付けられている。
【００２４】
図１に示すように、分割部１、ケーブルガイド２、ケーブル押圧部３は、順に架台4上に一列に並べて配置される。
【００２５】
上記構成において、ケーブル５の分割動作を図6、図7に基づいて説明する。先ず、架台４が、ケーブルの廃棄処理を行う現場に移動して設置される。廃棄処理を行う現場とは、廃棄されるケーブルが設置されている現場であり、ケーブルを移動する必要がない。可能ケーブル５は事前にケーブルガイド２の長さ寸法より若干長めに切断される。図７の（ａ）に示すように、切断されたケーブル５は、両端がケーブルガイド２の両端からは突出している状態に底部２ａに載せられる。
【００２６】
このとき、ケーブル５の先端５ｇの中心５ｅと、分割刃１ａの突起１ｅとの位置が合わせられる。さらに、分割刃１ａの各刃１ａ１、１ａ２、１ａ３の刃先が、図４に示される単芯の間の各延焼防止剤５ｄの部分に当接するように位置が合わせがなされる。次いで、図７の（ｂ）に示すように蓋２ｂを閉じる。
【００２７】
この状態では図６に示すように、押付部材３ｄの先端の弾性部材３ｅが、ケーブル５の後端５ｆに対向している。次いで、油圧ポンプ３ａの駆動により油圧シリンダ３ｂのピストン軸３ｃが移動し、弾性部材３ｅがケーブル５の後端５ｆを押圧する。図７の（ｃ）に示すように、ケーブル５の先端５ｇが分離刃１ａに押付けられ、各刃１ａ１、１ａ２、１ａ３が、単芯の間の各延焼防止剤５ｄ（連結部）の部分に食い込んで、各延焼防止剤５ｄ（連結部）を切り裂いていく。この切り裂きにより、３本の単芯５ａ、５ｂ、５ｃが分離され、図７の（ｃ）に示すように、分離された３本の単芯５ａ、５ｂ、５ｃは、各刃１ａ１、１ａ２、１ａ３の間を通って前方に押し出される。
【００２８】
ケーブル５の後端５ｆが分割刃１ａに押し付けられことにより、ケーブル５の全体が分離されると、図７の（ｄ）に示すように、押付部材３ｄの先端が分割刃１ａの先端に接触する。このとき、押付部材３ｄの先端の弾性部材３ｅが分割刃１ａの先端に接触するので、分割刃１ａの刃先を損傷させることがない。
【００２９】
廃棄されるケーブル５は、使い古されて歪んでいるが、ケーブルガイド２で強制的に撓みが補正されるので、分割刃１ａに押し付けられて分離される部分は、位置がずれることが少なく、分離は円滑に行われる。またケーブル５は、３本の単芯５ａ、５ｂ、５ｃを撚って構成されているので、固定的に設置されている分離刃１ａで分離されるとき、撚り方向に沿って回転しながら移動する。従って、ケーブル５は撓みが抑えられつつ回転しながらケーブルガイド２内を摺動して移動する。このとき、ケーブル押圧部３の押付部材３ｄも共に回転するので、ケーブル５の回転を阻害しない。
【００３０】
上記のようなケーブル５の複雑な動きを伴う移動に際しては、ケーブルガイド２の内面に摩擦抵抗の少ないテフロン（登録商標）シート（摺動部材）が貼り付けられているので、ケーブル５を円滑に移動させることができ、撚り形ケーブルを円滑に単芯に分割することができる。
【００３１】
したがって、廃棄処理作業を行う現場で、容易かつ短時間に撚り形電力ケーブルを分割することができ、発電プラントのケーブル廃棄作業の短縮化、危険作業の低減を図ることができる。
【符号の説明】
【００３２】
１…分割部、１ａ…分割刃、１ｂ…固定部、１ａ１、１ａ２、１ａ３…刃、１ｃ、１ｄ…ボルト、１ｅ…突起、２…ケーブルガイド、２ａ…底部、２ｂ…ガイド蓋、２ｃ…蝶番、２ｄ、２ｅ…摺動部材、２ｆ、２ｇ…内径調整部材、３…ケーブル押圧部、３ａ…油圧ポンプ、３ｂ…油圧シリンダ、３ｃ…ピストン軸、３ｄ…押付部材、３ｅ…弾性部材、４…架台、４ａ…移動車輪、４ｂ…固定脚、５…撚り形ケーブル、５ａ、５ｂ、５ｃ…単芯（単芯ケーブル）、５ｄ…延焼防止部材、５ｅ…ケーブルの先端の中心、５ｆ…ケーブルの後端、５ｇ…ケーブルの前端。
【図１】
0005606372.tif 000002
【図２】
0005606372.tif 000003
【図３】
0005606372.tif 000004
【図４】
0005606372.tif 000005
【図５】
0005606372.tif 000006
【図６】
0005606372.tif 000007
【図７】
0005606372.tif 000008